(57)【要約】  マットレス（４）の上部を覆う底部シート（１０）に取り付けられる小型膨張可能スリーブ（２）と、トップシート、少なくとも１つのブランケットおよびベッドカバーを備えるユニット（１２）に取り付けられる大型膨張可能スリーブ（９）であって、このユニットが、伸長されるときに、ベッドの脚部端部に一致するマットレスの短辺後部側に対応する方向に沿うように展開される、大型膨張可能スリーブ（９）と、を備え、両方の膨張可能スリーブが、圧縮空気ステーション（１４）から供給されて分配バルブ（１３）を介して調整される加圧空気を受け取る、寝具を伸長させるための独立装置であって、この装置が、ベッド（５）のマットレス（４）の下側角部領域に結合されてそれらに適合するような周囲部片（３）を介してＣ形の小型膨張可能スリーブ（２）に取り付けられる平坦構造基部（１）を備え、平坦構造基部（１）がマットレス下側面（４）をベッドの基部上側面（６）から分離する平面内に配置され、平坦基部構造（１）がさらに、Ｃ形の小型膨張可能スリーブ（２）の横材に付随する一対のアングルブラケット（７）と、Ｃ形の小型膨張可能スリーブ（２）のラテラルブランチ（２ｂ）に接続されるクロスブレース（１ｄ）の端部接続部とにより、Ｃ形の小型膨張可能スリーブ（２）に取り付けられる。
2015530909.tif 000002
【特許請求の範囲】
【請求項１】
マットレス（４）の上部を覆う底部シート（１０）に取り付けられた小型膨張可能スリーブ（２）と、
トップシートと、少なくとも１つのブランケットと、ベッドカバーとを備えたユニット（１２）に取り付けられた大型膨張可能スリーブ（９）であって、前記ユニットが、伸長されるときに、ベッドの脚部端部に一致する前記マットレスの短辺後部側に対応する方向に沿うように展開される、大型膨張可能スリーブと
を備え、
両方の膨張可能スリーブが、圧縮空気ステーション（１４）から供給されて分配バルブ（１３）を介して調整される加圧空気を受け取る、
寝具を伸長させるための独立装置であって、
前記ベッド（５）の前記マットレス（４）の下側角部領域に結合されてそれらに適合するような周囲部片（３）を介してＣ形の小型膨張可能スリーブ（２）に取り付けられる平坦構造基部（１）を備え、
前記平坦構造基部（１）がマットレス下側面（４）を前記ベッドの基部上側面（６）から分離する平面内に配置され、
前記平坦構造基部（１）がさらに、前記Ｃ形の小型膨張可能スリーブ（２）の横材に付随する一対のアングルブラケット（７）と、前記Ｃ形の小型膨張可能スリーブ（２）のラテラルブランチ（２ｂ）に接続されるクロスブレース（１ｄ）の端部接続部とにより、前記Ｃ形の小型膨張可能スリーブ（２）に取り付けられる、
ことを特徴とする、寝具を伸長させるための独立装置。
【請求項２】
前記構造基部（１）が、
中央プラットフォーム（１ａ）と、
前記中央プラットフォーム（１ａ）から延びる複数の斜め材（１ｂ）であって、前記複数の斜め材（１ｂ）の自由端部が周囲部片（３）に接続された、複数の斜め材（１ｂ）と、
前記中央プラットフォーム（１ａ）から延びる２つのインナーブレース（１ｃ）であって、前記２つのインナーブレース（１ｃ）の自由端部がアングルブラケット（７）に接続された、２つのインナーブレース（１ｃ）と、
クロスブレース（１ｄ）であって、前記クロスブレース（１ｄ）の端部が前記Ｃ形の小型膨張可能スリーブ（２）のラテラルブランチ（２ｂ）に接続された、クロスブレース（１ｄ）と
を備えた、
ことを特徴とする、請求項１に記載の寝具を伸長させるための独立装置。
【請求項３】
前記周囲部片（３）が溝（３ａ）を備え、前記溝（３ａ）を通して前記周囲部片（３）が前記Ｃ形の小型膨張可能スリーブ（２）に接続されさらには前記平坦構造基部（１）に接続された、ことを特徴とする、請求項１または２に記載の寝具を伸長させるための独立装置。
【請求項４】
前記アングルブラケット（７）の水平ブランチ（７ａ）が対応する溝（７ｃ）を備え、前記溝（７ｃ）を通して前記インナーブレース（１ｃ）の端部が前記構造基部（１）に取り付けられた、ことを特徴とする、請求項２に記載の寝具を伸長させるための独立装置。
【請求項５】
前記アングルブラケット（７）が、前記アングルブラケット（７）の垂直方向ブランチ（７ｂ）から延びる湾曲範囲（１５ａ）と、ターミナルヘッド（１５ｂ）とを備えた２つの固定デバイス（１５）を備え、前記ターミナルヘッド（１５ｂ）と前記湾曲範囲との間に中間スペース（１５ｃ）が画定され、前記大型膨張可能スリーブ（９）に付随する寝具（５）の後部端部が圧力下で前記中間スペース（１５ｃ）に入れられ、前記固定デバイス（１５）の材料の弾性により、ベッドクロス（５）を保持するのに必要な締め付け力が提供される、ことを特徴とする、請求項１乃至４のいずれか１項に記載の寝具を伸長させる独立装置。
【請求項６】
前記アングルブラケット（７）が、前記アングルブラケット（７）の前記垂直方向ブランチ（７ｂ）の下側部分に一致するように配置されたアンカーデバイス（１６）をさらに備え、前記アンカーデバイス（１６）がスナップを介して前記ベッド（５）の前記基部（６）に掛止されるエルボーフランジを備えた、ことを特徴とする、請求項１乃至５のいずれか１項に記載の寝具を伸長させるための独立装置。
【請求項７】
前記大型膨張可能スリーブ（９）が長方形フレーム構造を有し、
前記大型膨張可能スリーブ（９）の短辺後部側が分配バルブ出口（１３）の内側から接続された幅狭部（９ａ）を備え、
前記大型膨張可能スリーブ（９）の長辺側（９ｂ）が、前記ベッド（５）のヘッドレストに対応する前記大型膨張可能スリーブ（９）の短辺側（９ｃ）に接続される端部に向かうにつれて次第に狭くなる、
ことを特徴とする、請求項１乃至６のいずれか１項に記載の寝具を伸長させるための独立装置。
【請求項８】
前記Ｃ形のフレームワーク（２）と平行になるように配置された通気用膨張可能スリーブ（８）を備え、前記通気用膨張可能スリーブ（８）が、前記底部シート（１０）を通気するのを可能にするために圧縮空気を調整する形で解放する端子付属物（１１）により前記底部シート（１０）に付随する、
ことを特徴とする、請求項１乃至７のいずれか１項に記載の寝具を伸長させるための独立装置。
【請求項９】
前記分配バルブ（１３）が前記Ｃ形の小型膨張可能スリーブ（２）の前記横材（２ａ）の中心に取り付けられた、ことを特徴とする、請求項１乃至８のいずれか１項に記載の寝具を伸長させるための独立装置。
【請求項１０】
前記Ｃ形の小型膨張可能スリーブ（２）の前記横材（２ａ）が前記マットレスの短辺後部端部（４）に一致するように配置される一方、前記ラテラルブランチ（２ｂ）が前記マットレス（４）の長手方向縁部に一致するように配置された、ことを特徴とする、請求項１乃至９のいずれか１項に記載の寝具を伸長させるための独立装置。
【請求項１１】
第１の分配バルブ出口（１３）が前記Ｃ形の小型膨張可能スリーブ（２）に接続され、第２の分配バルブ出口（１３）が前記大型膨張可能スリーブ（９）に接続され、第３の分配バルブ出口（１３）が通気用膨張可能スリーブ（８）に接続された、ことを特徴とする、請求項８に記載の寝具を伸長させるための独立装置。
【発明の詳細な説明】
【技術分野】
【０００１】
本発明は、本明細書で述べられるように、圧力下で膨張可能スリーブ内に空気が導入されると膨張可能スリーブが展開および伸長されて寝具を引っ張りそれにより寝具も伸長させるための、ベッドクロスに付随する圧縮空気膨張可能スリーブ（ｃｏｍｐｒｅｓｓｅｄ  ａｉｒ  ｉｎｆｌａｔａｂｌｅ  ｓｌｅｅｖｅ）によりベッドクロージングを自動で展開および伸長させることを意図される、寝具の伸長のための独立装置に関する。
【０００２】
一方で本発明の装置が作動することで第１の小型膨張可能スリーブによりマットレスを覆う底部シートが伸長され、他方でやはりこのデバイスが作動することで、トップシートと、少なくとも１つのブランケットと、ベッドカバーとから構成されるセットがやはり伸長され、その結果、これらの３つの要素が大型膨張可能スリーブに付随する単一ユニットとして完全に取り付けられる。
【０００３】
上記に照らして、本発明の目的は、市場に存在する任意のベッドに適用され得る独立デバイスである。
この目的を達成するために、この独立装置は、従来のベッドに単純かつ迅速に適合させるのを可能にする１群の要素を備える特定の構造から構成される。
【背景技術】
【０００４】
現在、公開番号ＷＯ２００９／１４４５３０の発明特許などの、寝具伸長装置を備えるベッドがよく知られている。
この寝具伸長装置は、空気圧縮機と、空気分配バルブと、ベッドマットレスを覆う底部シートに付随する第１の膨張可能スリーブと、トップシート、少なくとも１つのブランケットおよびベッドカバーを備えるユニットに付随する第２の膨張可能スリーブと、を備える、ベッド基部に付随する構造から構成され、ここでは、分配バルブが作動されると、圧縮空気が膨張可能スリーブの方に循環してそれらの膨張可能スリーブを伸長および展開させ、それにより、底部シート、さらには、トップシートと、ブランケットと、ベッドカバーとを備えるユニットも展開および伸長される。
【０００５】
この伸長装置には、この装置を含めたベッドが一体部品であることを理由として市場に既に存在するベッドに適合され得ないという欠点がある。
さらに、寝具を自動で伸長させるのを可能にするシステムを記述する文献ＵＳ３．８９５．４０４が知られている。このシステムは一連の膨張可能ダクト（ｉｎｆｌａｔａｂｌｅ  ｄｕｃｔ）から構成され、この一連の膨張可能ダクトは、これらのダクト内にある空気注入システムの動作と併せて、寝具を展開および伸長させるのを促進する。
【０００６】
文献ＵＳ３．８９５．４０４のシステムも異なるタイプのベッドに適合され得る装置を開示しているが、これが同一の固定・支持構造を備えず、さらには、本発明に包含される底部シートを伸長させるための機構を備えないことは明らかである。
【０００７】
したがって、上で言及した文献および以下で実証される手法に照らして、本発明は、従来技術の一連の技術的欠点を解決することを目的とする独自の特性を有する。
【発明の概要】
【課題を解決するための手段】
【０００８】
これらの目的を達成するためにおよび上で言及した不都合を回避するために、本発明は寝具を伸長させるための独立装置を提供し、これはとりわけ以下の要素を備える：
−マットレスの上部を覆う底部シートに取り付けられる小型膨張可能スリーブ。
−トップシートと、ブランケットと、ベッドカバーとを備えるユニットに取り付けられる大型膨張可能スリーブであって、このユニットは伸長されるときに、ベッドの脚部端部に一致するマットレスの後方短辺側に対応する方向に沿うように横に置かれる。
【０００９】
両方の膨張可能スリーブが、加圧空気ステーションから供給されて分配バルブを介して調整される加圧空気を受け取る。
本発明の独立装置は、対応するベッドマットレスの下側角部ゾーンを囲んでそれらに適合するような介在周囲部片により上記のような形態を採用するＣ形の小型膨張可能スリーブに取り付けられる平坦構造基部を備える。この構造基部はマットレスの下側面をベッド基部の上側面から分離する平面上に配置される。
【００１０】
この構造基部はさらに、Ｃ形の小型膨張可能スリーブの横材に付随する一対のアングルブラケットと、Ｃ形の小型膨張可能スリーブのラテラルブランチに繋がる両側にある接続部とにより、Ｃ形の小型膨張可能スリーブに取り付けられる。
【００１１】
分配バルブはＣ形の小型膨張可能スリーブの横材の中心に取り付けられる。
Ｃ形の小型膨張可能スリーブの横材はマットレスの後方短辺側縁部に一致するように配置され、対して、ラテラルブランチは上記マットレスの長手方向縁部に一致するように配置される。
【００１２】
第１の分配バルブ出口がＣ形の小型膨張可能スリーブに接続され、対して、第２の分配バルブ出口が大型膨張可能スリーブに接続される。同様に、さらに第３の通気用膨張可能スリーブ（ｖｅｎｔｉｌａｔｉｏｎ  ｉｎｆｌａｔａｂｌｅ  ｓｌｅｅｖｅ）が第３の分配バルブ出口に接続され、ここでは、この第３の通気用膨張可能スリーブは、上記Ｃ形の小型膨張可能スリーブの形状に従ってマットレスの後方短辺側縁部および長手方向縁部を囲む。
【００１３】
独立装置の平坦構造基部が、中央プラットフォームと、中央プラットフォームから延びる複数の斜め材であって、それらの自由端部が周囲部片に接続される、複数の斜め材と、中央プラットフォームから延びる２つのインナーブレース（ｉｎｎｅｒ  ｂｒａｃｅ）であって、それらの自由端部がアングルブレースに接続される、２つのインナーブレースと、クロスブレースであって、その自由端部がＣ形の小型膨張可能スリーブのラテラルブランチに接続される、クロスブレースと、を備える。
【００１４】
さらに、上で言及した周囲部片が、Ｃ形の小型膨張可能スリーブおよび平坦構造基部の斜め材を一体に嵌合するのを可能にする溝を含む。
同様に、アングルブラケットの水平ブランチが一致する溝を含み、その溝を通して、構造基部のインナーブレースの端部が一体に嵌合されて固定される。アングルブラケットはまた、その外面上に、ベッドの脚部端部に一致する寝具後方縁部固定デバイスを有し、さらに、ベッド基部に取り付けられるアンカーデバイスを有する。本発明の好適な実施形態では、固定デバイスは２つである。
【００１５】
固定デバイスは、アングルブラケットの垂直方向ブランチから延びる湾曲範囲（ｗｉｎｄｉｎｇ  ｅｘｔｅｎｓｉｏｎ）と、ターミナルヘッドと、ターミナルヘッドと湾曲範囲との間に画定される中間スペースとを備え、大型膨張可能スリーブに付随する寝具後方縁部が圧力下で中間スペースに入れられ、その結果、固定デバイスの材料の弾性により、ベッドクロスを保持するのに必要な締め付け力が提供される。
【００１６】
アンカーデバイスはアングルブラケットの垂直方向ブランチの下側部分に位置し、スナップ嵌合を介してベッド基部に掛止されるエルボーフランジを備える。
大型膨張可能スリーブは長方形フレーム構造を有し、ここでは、大型膨張可能スリーブの短辺後部側が第１の圧縮空気分配バルブ出口の内側に接続されてそこから延びる幅狭部（ｎａｒｒｏｗｉｎｇ）を備え、対して、この膨張可能スリーブの長辺側が、ベッドのヘッドレストに対応するこの大型膨張可能スリーブのもう一方の平坦短辺側に接続される端部に向かうにつれて次第に狭くなる。
【００１７】
通気用膨張可能スリーブはＣ形のフレームワークと平行になるように配置され、この通気用膨張可能スリーブは同時に、底部シートおよび寝具の全体を通気するのを可能にする調整される量の空気を解放する端子付属物（ｔｅｒｍｉｎａｌ  ａｐｐｅｎｄｉｘ）を備える。
【００１８】
本明細書をより良く理解することができるようにするために、本明細書の不可欠な部分として、本発明の目的の一連の図を説明的かつ非限定的に提供する。
【図面の簡単な説明】
【００１９】
【図１】底部シートに付随する第１のＣ形の小型膨張可能スリーブ、および、上側シートと、ブランケットと、ベッドカバーとから構成されるグループを備えるユニットに付随する第２の大型膨張可能スリーブにより寝具を伸長させるための独立装置を示す斜視図である。
【図２】従来のベッドに適用される本発明の装置を示す斜視図である。
【図３】本発明の一部分である平坦構造基部と、構造基部に取り付けられるアングルブラケットおよび角部周囲部片とを示す斜視図である。
【図４】ベッドの平坦構造基部に固定されるアンカーデバイスも含めた、一対の寝具縁部固定デバイスを備えるアングルブラケットのうちの１つを示す斜視図である。
【図５】角部周囲部片のうちの１つを示す斜視図である。
【図６】上側シートと、ブランケットと、ベッドカバーとのグループを備えるユニットの伸長プロセスの初期段階におけるベッドを示す上面図である。
【図７】上側シートと、ブランケットと、ベッドカバーとのグループを備えるユニットの展開または伸長プロセスの別の段階を示す図である。
【発明を実施するための形態】
【００２０】
本発明の図に含まれる参照符号を考察することにより、寝具を伸長させるための独立装置の非限定の好適な実施形態を説明することができる。
寝具を伸長させるための独立装置が、中央プラットフォーム１ａから延びる一連のブレースの動作によりＣ形の小型膨張可能スリーブ２に取り付けられる平坦構造基部を備える。上記のブレースおよびＣ形の小型膨張可能スリーブは、マットレス４を囲んでそのマットレス４に適合するような周囲部片３を介してベッド５の下側角部領域に接続され、その結果、上記の平坦構造基部１が、マットレス４の下側面とベッド５の基部６の上側面とを分離する平面内に配置される。
【００２１】
同様に、平坦構造基部１はさらに、一対のアングルブラケット７により、さらには、Ｃ形の小型膨張可能スリーブ２のラテラルブランチ２ｂに接続されるクロスブレース１ｄの２つの端部接続部により、Ｃ形の小型膨張可能スリーブ２の横材２ａに取り付けられる。
【００２２】
Ｃ形の小型膨張可能スリーブ２の横材２ａはベッド５の脚部端部と合致してマットレスの後部縁部４に一致するように配置され、対して、Ｃ形の小型膨張可能スリーブ２のラテラルブランチ２ｂはマットレス４の２つの長手方向縁部に合致するように配置される。
【００２３】
本発明の装置はまた、Ｃ形の小型膨張可能スリーブ２と平行になるように配置される第３の通気用膨張可能スリーブ８と、長方形のフレーム型大型膨張可能スリーブ９とを備え、この長方形のフレーム型大型膨張可能スリーブ９の幅狭部９によって画定される短辺側のうちの１つがベッド５の脚部端部と合致するように配置される。
【００２４】
通気用膨張可能スリーブ８は、底部シートおよびベッドの全体を通気させるのを可能にするために調整される量の空気を解放する端子付属部１１を通して、マットレス４の上部を覆う底部シート１０に付随し、対して、大型膨張可能スリーブ９は、底部シートと、少なくとも１つのブランケットと、ベッドカバーとのグループを備えるユニット１２に取り付けられ、その結果、上記の膨張可能スリーブ２、８、９が圧力下で空気を受け取ると、ベッドクロスが自動で伸長されて通気される。
【００２５】
本発明の一実施形態では、大型膨張可能スリーブ９は、図に描かれないアンカーデバイスにより、上側シートと、ブランケットと、ベッドカバーとから構成されるユニット１２に取り付けられ、アンカーデバイスはベルクロまたは別の「固定ペグ」などの付着材料を通して接触固定機構によって示されてよい。
【００２６】
膨張可能スリーブ２、８、９を膨張および収縮させることは、好適にはまとめてＣ形の小型膨張可能スリーブ２の横材２ａの中心のところに位置する複数の空気出口を備える分配バルブ１３により実行される。
【００２７】
分配バルブ１３の複数の出口のうちの１つが大型膨張可能スリーブ９の幅狭部９ａによって画定される短辺側のうちの１つに接続され、対して、分配バルブ１３の残りの出口がＣ形の小型膨張可能スリーブ２の横材２ａに接続され、その結果、この分配バルブ１３が第１のボタン１３ａを通して作動されると、膨張可能スリーブ２、９が加圧されてベッドクロスを伸長させる。実際には、Ｃ形の小型膨張可能スリーブ２を加圧することにより、底部シート１０内で異なる方向に側方に摺動し、それにより底部シート１０が伸長される。さらに、通気用小型膨張可能スリーブ８を動作させることにより端子付属部１１により調整される空気を解放することが可能となり、ベッド通気プロセスが実行される。本発明の一実施形態では、分配バルブ１３に対応する空気出口が作動されない場合、この通気プロセスが省略され得る。
【００２８】
図に描かれない本発明の一実施形態では、分配バルブ１３により、例えば病気患者を乾燥させるのを促進するために、空気伝導ホース（ａｉｒ  ｃｏｎｄｕｃｔｉｏｎ  ｈｏｓｅ）を結合させることが可能となる。同様に、描かれない一実施形態では、本発明は、分配バルブから入る空気をベッドの全範囲にわたって分配するのを可能にするためのマットレスカバーリングシステムを備える。
【００２９】
さらに、分配バルブ１３の第２のボタン１３ｂが作動されると、所定の圧力に達するまで膨張可能スリーブ２−８−９から圧力が解放され、例えばこの圧力は、トップシートと、ブランケットと、ベッドカバーとを備えるユニット１２を図６のステップ「ｄ」（最大圧力）で示される位置からステップ「ｅ」まで、さらにはステップ「ｅ」から、ベッドが完成するステップ「ｆ」に対応する最終状態まで配置するのに必要となる圧力などである。
【００３０】
これらの図７ａから７ｆでは、膨張可能スリーブ内部の圧力が低下すると重力によりユニット１２の重みが引き下げられてベッドが完成することが強調される。
加圧空気流れは本発明の装置自体に一体化され得るコンプレッサ１４によって供給され、コンプレッサ１４はマットレス４自体の中に収容されるかまたはベッド５の基部６のところに収容される。このステーションは必要に応じて冷気または暖気を供給する。この場合、図に描かれない一実施形態では、本発明の装置はマットレス４の表面を横断する追加の膨張可能スリーブを配置することが可能であり、それによりベッドを暖めることが可能となる。この追加の膨張可能スリーブは、膨張状態で、必要において、病気患者の位置を変更させることまたは他にはマッサージを行うことを可能とする。加えて、本発明の装置は、紫外線およびイオン化装置などの補助的な消毒・衛生装置を備えることができ、あるいは他には、例えば洗濯用洗剤の香りもしくは洗濯したばかりのシートの香りをベッドにつけるためのまたは他にはフレグランスに基づくヘルスセラピー（アロマテラピー）の用途のための、圧縮空気ステーション内に含まれる芳香装置などを備えることができる。
【００３１】
別のオプションとしては、ベッドユニット５に付けられる、独立型で取り外し可能な外部圧縮空気ステーション（充電電池または太陽光発電パネルによる動作自律性を有することから、低電圧を必要とする）が挙げられ、この場合、圧縮空気ステーションは例えば電気掃除機での掃除または換気などの補助的な家事において使用され得る。この圧縮空気ステーションは例えば「高速」、「中速」および「低速」の異なる速度で動作することができる。
【００３２】
膨張可能スリーブ９の長辺側９ｂは、ベッド５のヘッドレストに対応する上記膨張可能スリーブ９の短辺側９ｃに接続される端部に向かうにつれて次第に狭くなる。
反対側では、平坦構造基部１が、中央プラットフォーム１ａと、複数の斜め材１ｂとを備え、複数の斜め材１ｂの自由端部が角部周囲部片３に接続され、角部周囲部片３が溝３ａを備え、この溝３ａを通して角部周囲部片３がＣ形の小型膨張可能スリーブ２さらには平坦構造基部１に接続される。
【００３３】
平坦構造基部１は中央プラットフォーム１ａから延びる別の２つのインナーブレース１ｃを備え、それらの自由端部がアングルブラケット７に接続され、さらにアングルブラケット７がＣ形の小型膨張可能スリーブ２の横材２ａに取り付けられる。アングルブラケット７の水平ブランチ７ａが、平坦構造基部１の上記インナーブレース１ｃにそれ自体が結合されるのを容易にするための溝７ｃを備える。
【００３４】
平坦構造基部１はクロスブレース１ｄをさらに備え、その自由端部がＣ形の小型膨張可能スリーブ２のラテラルブランチ２ｂに接続される。このクロスブレース１ｄの端部が貫通溝１ｅを備えることに留意されたい。
【００３５】
アングルブラケット７はベッドの脚部端部に対応する寝具後部縁部の一対の固定デバイス１５を備え、さらには、ベッド４の基部６に取り付けられるアンカーデバイス１６を備える。
【００３６】
本発明の好適な実施形態では、固定ブラケット１５は、アングルブラケット７の垂直方向ブランチ７ｂから延びる湾曲範囲１５ａと、ターミナルヘッド１５ｂと、ターミナルヘッド１５ｂと湾曲範囲１５ａとの間に画定される中間スペース１５ｃとを備え、大型膨張可能スリーブ９に付随する寝具後方端部５が圧力下で中間スペース１５ｃに入れられ、その結果、固定デバイス１５のデバイス材料の弾性により、ベッドクロス５を保持するのに必要な締め付け力が提供される。例えば、ベルクロタイプの接着面による接触固定、または、寝具５を定位置で保持するのを可能にする任意の別の固定手段などの、別の固定オプションも可能である。
【００３７】
アンカーデバイス１６はアングルブラケット７の垂直方向ブランチ７ｂの下側部分に位置し、スナップ嵌合を介してベッド５の基部６に掛止されるエルボーフランジを備える。
【図１】
2015530909.tif 000003
【図２】
2015530909.tif 000004
【図３】
2015530909.tif 000005
【図４】
2015530909.tif 000006
【図５】
2015530909.tif 000007
【図６】
2015530909.tif 000008
【図７ａ】
2015530909.tif 000009
【図７ｂ】
2015530909.tif 000010
【図７ｃ】
2015530909.tif 000011
【図７ｄ】
2015530909.tif 000012
【図７ｅ】
2015530909.tif 000013
【図７ｆ】
2015530909.tif 000014
【国際調査報告】
2015530909.tif 000015
2015530909.tif 000016
2015530909.tif 000017
2015530909.tif 000018
2015530909.tif 000019
2015530909.tif 000020